(57)【特許請求の範囲】
【請求項１】
ディスクを出し入れする長方形の開口部と、
媒体の前後あるいは左右の対向面に対して、前記長方形の対角線方向に傾斜して前記開口部を通過したディスクを前記傾斜を保持したまま収納可能なディスク収納部と、
前記開口部を備えた偏平箱状の本体と、
前記開口部を覆う部分を含み、前記本体と組み合わせた状態で本体との重なり部分を変えることにより前記開口部を塞ぐ姿勢と前記開口部を開く姿勢の二つの姿勢の間を移行可能で、かつ、前記開口部を塞ぐ姿勢から開く姿勢に移行するときに、一部が前記本体に収納されているディスクを押してその一部を本体の外に押し出す蓋体と、を備えたディスク送付用媒体であって、
前記本体は、前後面に媒体に入れられたディスクの中心に近い点から斜め下方向に平行した一対の切り込みを設け、一側面に前記一対の切り込みの下端部を連結する切り込みを設けた前後の厚みが薄い直方体の上面が解放された箱状であり、
前記蓋体は、媒体に入れられた状態のディスクの中心に近い点を通過する前後面上の斜線より下側で、かつ、前後面の前記点と前記斜線の下端を結ぶ線を半径とする円の外側に当たる部分を切り落とし左右を解放した前後の厚みが薄い角形筒状であること
を特徴とするディスク送付用媒体。
【請求項２】
ディスクを出し入れする長方形の開口部と、
媒体の前後あるいは左右の対向面に対して、前記長方形の対角線方向に傾斜して前記開口部を通過したディスクを前記傾斜を保持したまま収納可能なディスク収納部と、
前記開口部を備えた偏平箱状の本体と、
前記開口部を覆う部分を含み、前記本体と組み合わせた状態で本体との重なり部分を変えることにより前記開口部を塞ぐ姿勢と前記開口部を開く姿勢の二つの姿勢の間を移行可能で、かつ、前記開口部を塞ぐ姿勢から開く姿勢に移行するときに、一部が前記本体に収納されているディスクを押してその一部を本体の外に押し出す蓋体と、を備え、
前記ディスクが前記開口部を通過するときに、開口部の対角線に沿う斜めの姿勢で通過するように、前記本体成形のため重ね合わせる内側の部分の一部を内側に折り曲げてディスク案内部を形成するディスク送付用媒体であって、
前記本体は、前後面に媒体に入れられたディスクの中心に近い点から斜め下方向に平行した一対の切り込みを設け、一側面に前記一対の切り込みの下端部を連結する切り込みを設けた前後の厚みが薄い直方体の上面が解放された箱状であり、
前記蓋体は、媒体に入れられた状態のディスクの中心に近い点を通過する前後面上の斜線より下側で、かつ、前後面の前記点と前記斜線の下端を結ぶ線を半径とする円の外側に当たる部分を切り落とし左右を解放した前後の厚みが薄い角形筒状であること
を特徴とするディスク送付用媒体。
【請求項３】
請求項１又は請求項２に記載のディスク送付用媒体において、
前記本体の前後面の一対の切り込みは、その切り込みの下端付近に下方向に膨らんだ曲線部を有すること
を特徴とするディスク送付用媒体。
【請求項４】
請求項１から請求項３までのいずれかに記載のディスク送付用媒体において、
前記本体を縦長とし、前記ディスクを入れるべき空間の下部につづいて前記ディスクに関連する情報を記入した紙片類を入れるための空間を設け、前記本体の下面を開閉可能に形成すること
を特徴とするディスク送付用媒体。
【発明の詳細な説明】
【０００１】
【発明の属する技術分野】
本発明は、ＣＤやＣＤ−ＲＯＭなどのディスクを郵送・配送などするのに適したディスク送付用媒体に関するものである。
【０００２】
【従来の技術】
ＣＤ−ＲＯＭのサイズの規格は、直径１２ｃｍの円盤であるのに対して、第一種郵便物の定形最大サイズは、１２×２３．５ｃｍである。そのために、ＣＤ−ＲＯＭパッケージは、その短辺のサイズが１２ｃｍを上回らないことが必要である。
【０００３】
実用新案登録第３０４０８７４号は、コンパクトディスクを装入する厚紙製封筒の側部にコンパクトディスクの周縁の一部が突出し得る切孔を設けたコンパクトディスク郵送用封筒を開示している。
【０００４】
【発明が解決しようとする課題】
従来のディスク送付媒体は、ＣＤ−ＲＯＭなどの機械処理を伴う媒体を送達するものであるので、外部からの衝撃等を緩和するために、厚紙やプラスチックシート等を素材としていた。
しかし、そのような送付媒体は、過剰包装となってしまい、包装破れを起こす等のトラブルが発生する可能性があった。
【０００５】
前述したコンパクトディスクの周縁の一部が突出し得る切孔を設けたものは、突出した周縁部にキズが付くことがあり、機能に影響は無くても商品価値を低下させるという欠点がある。
一方、多少加工の手間が増えても、前記トラブルがなく、ディスクの出し入れが楽にでき、配送を受けた者が開封後に、ディスクの保管容器として使用できるものであれば、非常に付加価値が向上する。
【０００６】
本発明は、安価に郵送できて運搬上の問題もなく、しかも、特にディスクの取り出しが容易で、配送受領後にディスクの簡易容器としても使えるようなディスク送付用媒体を提供することを課題とする。
【０００７】
【課題を解決するための手段】
前記課題を解決するために、請求項１の発明は、前記ディスク（２０）を出し入れする長方形の開口部（１５）と、媒体の前後あるいは左右の対向面に対して、前記長方形の対角線方向に傾斜して前記開口部（１５）を通過したディスク（２０）を前記傾斜を保持したまま収納可能なディスク収納部（１６）と、前記開口部（１５）を備えた偏平箱状の本体（１０）と、前記開口部（１５）を覆う部分（３０ｃ）を含み、前記本体（１０）と組み合わせた状態で本体（１０）との重なり部分を変えることにより前記開口部（１５）を塞ぐ姿勢と前記開口部（１５）を開く姿勢の二つの姿勢の間を移行可能で、かつ、開口部（１５）を塞ぐ姿勢から開く姿勢に移行するときに、一部が前記本体（１０）に収納されているディスク（２０）を押してその一部を本体の外に押し出す蓋体（３０）と、を備えたディスク送付用媒体であって、前記本体（１０）は、前後面（１０ａ、１０ｂ）に媒体に入れられたディスク（２０）の中心に近い点（２１ａ、２１ｂ）から斜め下方向に平行した一対の切り込み（１１ａ、１１ｂ）を設け、一側面（１１ｃ）に前記一対の切り込み（１１ａ、１１ｂ）の下端部を連結する切り込み（１１ｃ）を設けた前後の厚みが薄い直方体の上面が解放された箱状であり、前記蓋体（３０）は、媒体に入れられた状態のディスク（２０）の中心に近い点（２１ｃ、２１ｄ）を通過する前後面（３０ａ、３０ｂ）上の斜線より下側で、かつ、前後面の前記点（２１ｃ、２１ｄ）と前記斜線の下端を結ぶ線を半径とする円の外側に当たる部分を切り落とし左右を解放した前後の厚みが薄い角形筒状であることを特徴とするディスク送付用媒体である。
【０００８】
請求項２の発明は、前記ディスク（２０）を出し入れする長方形の開口部（１５）と、媒体の前後あるいは左右の対向面に対して、前記長方形の対角線方向に傾斜して前記開口部（１５）を通過したディスク（２０）を前記傾斜を保持したまま収納可能なディスク収納部（１６）と、前記開口部（１５）を備えた偏平箱状の本体（１０）と、前記開口部（１５）を覆う部分（３０ｃ）を含み、前記本体（１０）と組み合わせた状態で本体（１０）との重なり部分を変えることにより前記開口部（１５）を塞ぐ姿勢と前記開口部（１５）を開く姿勢の二つの姿勢の間を移行可能で、かつ、開口部（１５）を塞ぐ姿勢から開く姿勢に移行するときに、一部が前記本体（１０）に収納されているディスク（２０）を押してその一部を本体の外に押し出す蓋体（３０）と、を備え、前記ディスク（２０）が前記開口部（１５）を通過するときに、開口部（１５）の対角線に沿う斜めの姿勢で通過するように、前記本体成形のため重ね合わせる内側の部分（１０ｆ）の一部を内側に折り曲げてディスク案内部（１３ｆ）を形成するディスク送付用媒体であって、前記本体（１０）は、前後面（１０ａ、１０ｂ）に媒体に入れられたディスク（２０）の中心に近い点（２１ａ、２１ｂ）から斜め下方向に平行した一対の切り込み（１１ａ、１１ｂ）を設け、一側面（１１ｃ）に前記一対の切り込み（１１ａ、１１ｂ）の下端部を連結する切り込み（１１ｃ）を設けた前後の厚みが薄い直方体の上面が解放された箱状であり、前記蓋体（３０）は、媒体に入れられた状態のディスク（２０）の中心に近い点（２１ｃ、２１ｄ）を通過する前後面（３０ａ、３０ｂ）上の斜線より下側で、かつ、前後面の前記点（２１ｃ、２１ｄ）と前記斜線の下端を結ぶ線を半径とする円の外側に当たる部分を切り落とし左右を解放した前後の厚みが薄い角形筒状であることを特徴とするディスク送付用媒体である。
【０００９】
請求項３の発明は、請求項１又は請求項２に記載のディスク送付用媒体において、前記本体（１０）の前後面（１０ａ、１０ｂ）の一対の切り込み（１１ａ、１１ｂ）は、その切り込み（１１ａ、１１ｂ）の下端付近に下方向に膨らんだ曲線部（２２ａ、２２ｂ）を有することを特徴とするディスク送付用媒体である。
【００１０】
請求項４の発明は、請求項１から請求項３までのいずれかに記載のディスク送付用媒体において、前記本体（１０）を縦長とし、前記ディスク（２０）を入れるべき空間の下部につづいて前記ディスク（２０）に関連する情報を記入した紙片類（４０）を入れるための空間を設け、前記本体の下面を開閉可能に形成することを特徴とするディスク送付用媒体である。
【００１３】
【発明の実施の形態】
以下、図面などを参照しながら、実施の形態をあげ、本発明をさらに詳細に説明する。
図１は、本発明によるディスク送付媒体の実施形態を一使用状態で示した斜視図である。
図２は、図１の実施形態を同一状態で示した正面図である。
図３は、図２の実施形態の一部を拡大し図中の矢印Ａの方向から見た平面図である。
【００１４】
この実施形態のディスク送付媒体は、図１および図２に示すように、ディスク２０を出し入れするために上面を解放した偏平箱状の本体１０と、前記上面を塞ぐことができる蓋体３０を組み合わせたものである。図１は、蓋体３０を回転して、本体１０上面を解放した状態である。
図４、図５は、図１の実施形態を構成要素別に分けて示した展開図である。
図４は、本体１０の展開図であり、その表側を示している。
図５は、蓋体２０の展開図であり、その表側を示している。
【００１５】
図４に示すように、本体１０は、後面１０ａ、前面１０ｂ、左側面１０ｃ、右側面１０ｄ、底面１０ｅ、および重ね合わせ面１０ｆが一枚の紙あるいはその他のシート類によって構成される。
本体１０の素材は、普通紙、合成紙、樹脂シートなど使用することができ、その厚みは、特に限定しないが、連続帳票として印刷、印字可能な０．１５ｍｍ前後から１ｍｍ程度までが好ましい。
後面１０ａと前面１０ｂには、ディスク２０を入れたときに、ディスク２０の中心に近い点（後面１０ａ上の点２１ａおよび前面１０ｂ上の点２１ｂ）から対称的に斜め下方向に、左側面１０ｃに至る一部に曲線部２２ａ、あるいは２２ｂを含むほぼ直線状の切り込みが（後面１０ａには１１ａ、前面１０ｂには１１ｂ）が設けられている。
【００１６】
左側面１０ｃには、切り込み１１ａと１１ｂの下端部を連結する切り込み１１ｃが設けられている。曲線部２２ａ、２２ｂは、それぞれ切り込み１１ａと１１ｂの一部を下向きに膨らませた部分である。
切り込みの曲線部２２ａ、２２ｂは、蓋体３０が本体１０に組み合わされ、蓋体３０を回転して本体１０の上面の開口部を開いたときの蓋体３０と本体１０の前後面の重なりをある程度確保して、相互の離脱あるいは全体の姿勢の崩れを防ぎ、この姿勢での十分な強度を保つのに役立つ。
【００１７】
切り込み１１ｄは、底面１０ｅと差し込み片１３ａの間の折り目１２ｅのほぼ中央に設けられているが、前面１０ｂの下部に設けられた差し込み片１３ｅを挿入するための孔となる。差し込み片１３ｅは、前面１０ｂの下端１３ｂのほぼ中央に、切り込み１１ｅ、１１ｆと折り目１２ｊ、１２ｋと出っ張りによって形成されている。
差し込み片１３ｃ、１３ｄは、本体１０が組み立てられた状態で、左側面１０ｃ、右側面１０ｄ、後面１０ａ、前面１０ｂのそれぞれの下部を組み合わせて箱の底を形成するためのものである。
【００１８】
折り目は、図４では全て点線で示してあるが、折り目１２ａ〜１２ｊは、山折りの折り目であり、１２ｋのみが谷折りの折り目である。
重ね合わせ面１０ｆの斜線を施してある部分は、折り目１２ｇが後面１０ａの左端１３ｇにくるようにして重ね、後面１０ａの内側の面に接着される。
斜めの折り目１２ｉから上側の折り返し部１３ｆは、折り曲げられて、図３に示すように、組み立てられた本体１０の内側に張り出し、本体１０にディスク２０を入れるときに、ディスク２０が本体上面の長方形の開口部の対角線に沿って斜めに入り、出るときも斜めの姿勢で開口部を通過するように、案内の役目を果たす。
【００１９】
こうして組み立てられた本体１０は、図６に示すように、上面が解放された前後の厚さの薄い偏平箱状体である。郵便物として取り扱われるためには、前後の厚さは１ｃｍ以下でなければならないが、本実施形態では約８ｍｍとした。
正面から見た横幅は、１２ｃｍ以下でなければならないが、本実施形態では丁度１２ｃｍとした。それでも上記のように直径１２ｃｍのディスク２０は、開口部の長方形の対角線に沿って斜めの姿勢で入れられるので、出し入れも引っかかることなくスムーズに収納される。
【００２０】
図５に示すように、蓋体３０は、後面３０ａ、前面３０ｂ、上面３０ｃ、下面３０ｄ、および重ね合わせ面３０ｅが、本体１０と同一素材で構成される。
折り目３２ａ〜３２ｄは、全て山折りの折り目である。
重ね合わせ面３０ｅ（斜線を施した部分）は、前面３０ｂの図中の右端に、折り目３２ｃがくるようにして重ね、前面３０ｂの内側の面に接着される。
【００２１】
組み立てられた蓋体３０は、図６に示すように左右が解放された前後の厚さの薄い偏平角形の筒状体である。
この蓋体３０は、左側の開口部は、上面及び下面に直角であるが、右側の開口部は、前後面対称的に構成され、ディスク２０をいれたとき、ディスク２０に近い点２１ｃ、２１ｄから斜め上方向の上面３０ｃに至るまでの直線３１ａ、３１ｂと、前記点２１ｃ、２１ｄから斜め下方向の下面３０ｄに至るまでの仮想直線を半径とする、ほぼ１／４円弧３１ｃ、３１ｄを切り落とし線として、その右側を切り落とした形に作られている。
【００２２】
点２１ｃは、後面３０ａ上にあって、本体１０の後面１０ａの点２１ａに対応し、点２１ｄは、前面３０ｂ上にあって、本体１０の前面１０ｂの点２１ｂに対応する。
蓋体３０が本体１０の上面開口部を塞いでいる状態では、蓋体３０の後面３０ａ上の点２１ｃと本体１０の後面１０ａの点２１ａとが重なり、蓋体３０の前面３０ｂ上の点２１ｄと本体１０の前面１０ｂの点２１ｂとが重なる。
本体１０の上面開口部を開く場合は、蓋体３０の円弧３１ｃ、３１ｄが、本体１０の前後面の点２１ａ、２１ｂのそれぞれをスライドしながら蓋体３０が回転する。この場合の回転軸は、ほぼ蓋体３０の左側の開口部の下端付近にある。
【００２３】
別々に組み立てた蓋体３０と本体１０を組み合わせるには、図６に示すように、蓋体３０を本体１０の左から、上面３０ｃの内側を本体１０の上面開口部に沿わせ、下面３０ｄの先端部３１ｆを本体１０の切り込み１１ｃに挿入し、蓋体３０の上面３０ｃが本体１０の上面開口部を全部塞ぐまで蓋体３０をスライドさせる。このとき、本体１０の切り込み１１ａ、１１ｂの上側が、蓋体３０の円弧３１ｃ、３１ｄの内側になり、本体１０の切り込み１１ａ、１１ｂの下側が、蓋体３０の円弧３１ｃ、３１ｄの外側になるようにする。
【００２４】
図７は、蓋体３０の上面３０ｃが本体１０の上面開口部を全部塞いだ状態を示す正面図である。
図７において、２点鎖線で示した円は、ディスク２０が収納される位置を示している。
また、２点鎖線で示した長方形は、ディスク２０に関連したチラシその他の同封物４０が封入される位置を示している。
同封物４０は、差し込み１３ｅを切り込み１１ｄで形成した孔から抜き、差し込み１３ａを引き起こせば底面１０ｅは解放される。
【００２５】
本体１０にディスク２０を入れるためには、図７の状態から、蓋体３０を回転させれば、図８に示す状態を経て図１（図２）に示すように本体１０の上面が解放され、容易にディスク２０を入れることができる。
ディスク２０を入れてから蓋体３０を図中の時計方向に回転させれば、図８の状態を経てディスク２０の入った図７の状態となる。
【００２６】
本実施形態のディスク送付媒体を受け取った人は、前記帳票を剥がすなどにより封を切り、図７に示す蓋体３０を手で図中の反時計方向に回すと、蓋体３０の下面３０ｄの先端部３１ｆがディスク２０の下端部を押し上げ、図７の状態から図８の状態を経過して、図１（図２）の状態になるので、蓋が開くと同時にディスク２０の一部が本体１０の外に現れる。
【００２７】
本実施形態によれば、以下のような効果がある。
（１）偏平な箱状のパッケージに斜めに入れることによって、ディスクの径と同じ横幅のパッケージに入れることができるので、第１種定形郵便物として郵送することができる。
【００２８】
（２）パッケージの蓋が開くと同時にディスク２０の一部が本体１０の外に現れるので取り出しやすい。
この場合、開口部の形の長方形の対角線に沿ってディスク２０が出ていくようになっているので、ディスク２０は開口部に引っかかることなく、スムーズに動く。
【００２９】
（３）パッケージが閉ざされた状態では、ディスク２０は外部に晒される部分が無いので、輸送中にキズがつく恐れがない。
（４）パッケージ本体の底面１０ｅが解放可能であるので、ディスク２０の収納場所の下にチラシや説明書などを同封することができる。
【００３０】
（変形形態）
以上説明した実施形態に限定されることなく、種々の変形や変更が可能であって、それらも本発明の均等の範囲内である。
（１）媒体内に収容するディスクはＣＤ−ＲＯＭに限らず、ＤＶＤ、フォトＣＤなど他のディスクであってもよい。
（２）上記の実施形態の媒体を、さらに表面保護のため、厚さが無視できる位の透明ないしは不透明の薄い袋に入れてもよい。
【００３１】
【発明の効果】
以上説明したように、ディスクを出し入れを長方形の開口部の対角線に沿って行い直方体の偏平な箱に斜めに収納するので、パッケージの短辺がディスクの直径とほぼ同等であるのにかかわらず、出し入れと収納が容易にできるという効果がある。従って、媒体を定形内の郵便物として発送することが可能となる。
また、パッケージの開口部を開閉する蓋体の一部が、開口部を開くときに、ディスクを押して外方向に押し出すので、押し出されたディスクの部分を摘んで引き上げるだけでよく、取り出しが容易である。
【図面の簡単な説明】
【図１】本発明によるディスク送付媒体の実施形態（使用状態）の斜視図である。
【図２】図１の実施形態を同一状態で示した正面図である。
【図３】図２の実施形態の一部を拡大して矢印Ａの方向から見た平面図である。
【図４】本実施形態に係る本体の表側を示す展開図である。
【図５】本実施形態に係る蓋体の表側を示す展開図である。
【図６】本実施形態に係る蓋体と本体の組み合わせを示す説明図（斜視図）である。
【図７】本実施形態に係る蓋体が本体の上面を塞いだ状態を示す正面図である。
【図８】本実施形態に係る蓋体が図７の状態から図２の状態に移行する途中経過を示す説明図（正面図）である。
【符号の説明】
１０  ディスク送付媒体の本体
１１ａ〜１１ｆ  切り込み
１２ａ〜１２ｊ  折り目（山折り）
１２ｋ  折り目（谷折り）
２０  ディスク（ＣＤ−ＲＯＭ）
２１ａ、２１ｂ  本体のディスク中心に近い点
２１ｃ、２１ｄ  蓋体のディスク中心に近い点
２２ａ、２２ｂ  切り込みの曲線部
３０  ディスク送付媒体の蓋体
３１ａ、３１ｂ  蓋体の切り落とし線（斜線）
３１ｃ、３１ｄ  蓋体の切り落とし線（円弧）
【図１】
0004561940.tif 000002
【図２】
0004561940.tif 000003
【図３】
0004561940.tif 000004
【図４】
0004561940.tif 000005
【図５】
0004561940.tif 000006
【図６】
0004561940.tif 000007
【図７】
0004561940.tif 000008
【図８】
0004561940.tif 000009